(57)【要約】      （修正有）【課題】苗押え部材と苗分け部材を苗タンクに設けて苗押えと苗分けとを確保するとともに、苗分け部材との干渉なしに苗押え部材の解除を可能とすることにより、苗タンクにおける薬剤供給と苗タンクの残余苗の容易な取出しとを共に可能とする苗植付部を備えた苗移植機を提供する。【解決手段】苗移植機の苗植付部は、苗押え部材１０、薬剤供給装置４１、苗分け部材４２等を苗タンク１１に備え、前記苗分け部材４２を支持アーム４３によって回動可能に取付基部プレート４４に軸支し、この取付基部プレート４４には、回動付勢部材４５を設けて前記苗分け部材４２が苗に作用する側に回動付勢するとともに、前記取付基部プレート４４の支持高さを調節可能に構成することにより、苗押えと苗分けを確保しつつ、苗分け部材４２との干渉なしに苗押え部材１０の解除を可能とするものである。【選択図】図１
2016086656.tif 000002
【特許請求の範囲】
【請求項１】
苗を案内支持する傾斜ガイド状の苗タンク(１１)を備えてその下端位置で苗を順次植付ける苗植付部(６)と、前記苗タンク(１１)上の苗を押えつつその傾斜下端まで案内する苗押え部材(１０)と、前記苗タンク(１１)上の苗に薬剤を供給する薬剤供給装置(４１)と、前記薬剤供給装置(４１)の下方で苗を押広げる苗分け部材(４２)とを設けた苗移植機において、
前記苗分け部材(４２)を支持アーム(４３)によって回動可能に取付基部プレート(４４)に軸支し、前記取付基部プレート(４４)には、前記苗分け部材(４２)が苗に作用する方向に回動する回動付勢部材(４５)を設けるとともに、前記取付基部プレート(４４)の支持高さを調節可能に構成したことを特徴とする苗移植機。
【請求項２】
前記苗タンク(１１)の側部に沿って薬剤供給フレーム(４７)を設け、前記薬剤供給フレーム(４７)の下端部から起立する取付フレーム(４８)を設けて前記薬剤供給装置(４１)を支持するとともに、前記取付フレーム(４８)から分岐して前記薬剤供給フレーム(４７)の上部側に支持する苗分けフレーム(４９)を設け、前記取付基部プレート(４４)を摺動可能に支持する調節支柱(４６)を前記苗分けフレーム(４９)に支持したことを特徴とする請求項１記載の苗移植機。
【請求項３】
前記支持アーム(４３)に係止突部(４３ａ)を設け、この係止突部(４３ａ)を複数の角度位置で嵌合係止可能な位置決め孔部(４４ｂ)を前記取付基部プレート(４４)に形成したことを特徴とする請求項２に記載の苗移植機。
【請求項４】
前記苗分け部材(４２)は、苗分け作用位置から前記苗タンク(１１)の傾斜下方側に回動可能に構成することを特徴とする請求項１から３のいずれか１項に記載の苗移植機。
【請求項５】
苗を案内支持する傾斜ガイド状の苗タンク(１１)を備えてその下端位置で苗を順次植付ける苗植付部(６)と、前記苗タンク(１１)上の苗を押えつつその傾斜下端まで案内する苗押え部材(１０)と、前記苗タンク(１１)上の苗に薬剤を供給する薬剤供給装置(４１)と、前記薬剤供給装置(４１)の下方で苗を押広げる苗分け部材(４２)とを設けた苗移植機において、
前記苗タンク(１１)の側部に沿って薬剤供給フレーム(４７)を設けて前記薬剤供給装置(４１)を支持し、前記苗分け部材(４２)を着脱可能に、かつ、苗との接触高さを多段階に位置決め可能に保持する調節取付プレート(５１)を前記薬剤供給フレーム(４７)に設けたことを特徴とする苗移植機。
【請求項６】
前記調節取付プレート(５１)は、前記苗分け部材(４２)の保持位置を前記苗タンク(１１)の法線方向で選択可能に形成したことを特徴とする請求項５に記載の苗移植機。
【請求項７】
前記調節取付プレート(５１)は、前記苗分け部材(４２)の保持位置を前記苗タンク(１１)の傾斜方向で選択可能に形成したことを特徴とする請求項５に記載の苗移植機。
【請求項８】
苗を案内支持する傾斜ガイド状の苗タンク(１１)を備えてその下端位置で苗を順次植付ける苗植付部(６)と、前記苗タンク(１１)上の苗を押えつつその傾斜下端まで案内する苗押え部材(１０)と、前記苗タンク(１１)上の苗に薬剤を供給する薬剤供給装置(４１)と、前記薬剤供給装置(４１)の下方で苗を押広げる苗分け部材(４２)とを設けた苗移植機において、
前記苗タンク(１１)の側部に沿って薬剤供給フレーム(４７)を設けて前記薬剤供給装置(４１)を支持し、前記苗押え部材(１０)の解除を可能とする範囲まで前記苗分け部材(４２)の移動調節を許容する調節取付プレート(５２)を前記薬剤供給フレーム(４７)に取付け、かつ、前記苗分け部材(４２)に係止突部(４２ａ)を設け、前記係止突部(４２ａ)を嵌合係止して前記苗分け部材(４２)を複数位置に保持する位置決め孔部(５２ｂ)を前記調節取付プレート(５２)に形成したことを特徴とする苗移植機。
【発明の詳細な説明】
【技術分野】
【０００１】
本発明は、苗植付部の苗タンクに薬剤供給装置を設けた苗移植機に関するものである。
【背景技術】
【０００２】
先行技術文献１は、傾斜ガイド状の苗タンクの後部に薬剤供給装置を設けた苗移植機であり、先行技術文献２は、苗タンク上に積載した苗の浮き上がりを押える苗押えロッドを設けた苗移植機である。
薬剤供給装置から供給される薬剤は、苗の根元に散布するために、薬剤の供給口の下方で棒状の苗分け部材を接触させて苗の葉を掻き分ける構成としている。
また、苗の植付け作業後、苗植付部に残った苗を取出すときは、苗押えロッドを上方に回動させて苗押え状態を解除する構成としている。
先行技術文献１の薬剤供給装置は、先行技術文献２の苗植付部に装着することにより、苗押えロッドで苗タンクの苗を押えつつ、苗分け部材による的確な薬剤供給が可能となる。
【先行技術文献】
【特許文献】
【０００３】
【特許文献１】特開２００９−  ２２２１０号公報
【特許文献２】特開２０１０−  ７５１５３号公報
【発明の概要】
【発明が解決しようとする課題】
【０００４】
しかしながら、苗移植の終了時に苗タンク上の残余の苗を取出す際に、苗押えを解除するために苗押えロッドを上方に回動させようとしても、苗分け部材が苗押えロッドに干渉するので、苗分け部材、または薬剤供給装置全体を取外す必要があるが、取外し作業には相当な時間を要するので、作業能率が低下すると共に、作業者に余分な労力を費やさせる問題が生じる。
また、取外した苗分け部材は取付けておく必要があるので、さらに余分な労力を費やさせる問題が生じると共に、外した苗分け部材を無くしてしまうおそれもある。
【０００５】
本発明の目的は、苗押え部材と苗分け部材を苗タンクに設けて苗押えと苗分けとを確保するとともに、苗分け部材との干渉なしに苗押え部材の解除を可能とすることにより、苗タンクにおける薬剤供給と苗タンクの残余苗の容易な取出しとを共に可能とする苗植付部を備えた苗移植機を提供することにある。
【課題を解決するための手段】
【０００６】
請求項１に係る発明は、苗を案内支持する傾斜ガイド状の苗タンク(１１)を備えてその下端位置で苗を順次植付ける苗植付部(６)と、前記苗タンク(１１)上の苗を押えつつその傾斜下端まで案内する苗押え部材(１０)と、前記苗タンク(１１)上の苗に薬剤を供給する薬剤供給装置(４１)と、前記薬剤供給装置(４１)の下方で苗を押広げる苗分け部材(４２)とを設けた苗移植機において、前記苗分け部材(４２)を支持アーム(４３)によって回動可能に取付基部プレート(４４)に軸支し、前記取付基部プレート(４４)には、前記苗分け部材(４２)が苗に作用する方向に回動する回動付勢部材(４５)を設けるとともに、前記取付基部プレート(４４)の支持高さを調節可能に構成したことを特徴とする。
【０００７】
請求項２に係る発明は、請求項１に係る発明において、前記苗タンク(１１)の側部に沿って薬剤供給フレーム(４７)を設け、前記薬剤供給フレーム(４７)の下端部から起立する取付フレーム(４８)を設けて前記薬剤供給装置(４１)を支持するとともに、前記取付フレーム(４８)から分岐して前記薬剤供給フレーム(４７)の上部側に支持する苗分けフレーム(４９)を設け、前記取付基部プレート(４４)を摺動可能に支持する調節支柱(４６)を前記苗分けフレーム(４９)に支持したことを特徴とする。
【０００８】
請求項３に係る発明は、請求項２に記載の発明において、前記支持アーム(４３)に係止突部(４３ａ)を設け、この係止突部(４３ａ)を複数の角度位置で嵌合係止可能な位置決め孔部(４４ｂ)を前記取付基部プレート(４４)に形成したことを特徴とする。
【０００９】
請求項４に係る発明は、請求項１から３のいずれか１項に係る発明において、前記苗分け部材(４２)は、苗分け作用位置から前記苗タンク(１１)の傾斜下方側に回動可能に構成することを特徴とする。
【００１０】
請求項５に係る発明は、苗を案内支持する傾斜ガイド状の苗タンク(１１)を備えてその下端位置で苗を順次植付ける苗植付部(６)と、前記苗タンク(１１)上の苗を押えつつその傾斜下端まで案内する苗押え部材(１０)と、前記苗タンク(１１)上の苗に薬剤を供給する薬剤供給装置(４１)と、前記薬剤供給装置(４１)の下方で苗を押広げる苗分け部材(４２)とを設けた苗移植機において、前記苗タンク(１１)の側部に沿って薬剤供給フレーム(４７)を設けて前記薬剤供給装置(４１)を支持し、前記苗分け部材(４２)を着脱可能に、かつ、苗との接触高さを多段階に位置決め可能に保持する調節取付プレート(５１)を前記薬剤供給フレーム(４７)に設けたことを特徴とする。
【００１１】
請求項６に係る発明は、請求項５に係る発明において、前記調節取付プレート(５１)は、前記苗分け部材(４２)の保持位置を前記苗タンク(１１)の法線方向で選択可能に形成したことを特徴とする。
【００１２】
請求項７に係る発明は、請求項５に係る発明において、前記調節取付プレート(５１)は、前記苗分け部材(４２)の保持位置を前記苗タンク(１１)の傾斜方向で選択可能に形成したことを特徴とする。
【００１３】
請求項８に係る発明は、苗を案内支持する傾斜ガイド状の苗タンク(１１)を備えてその下端位置で苗を順次植付ける苗植付部(６)と、前記苗タンク(１１)上の苗を押えつつその傾斜下端まで案内する苗押え部材(１０)と、前記苗タンク(１１)上の苗に薬剤を供給する薬剤供給装置(４１)と、前記薬剤供給装置(４１)の下方で苗を押広げる苗分け部材(４２)とを設けた苗移植機において、前記苗タンク(１１)の側部に沿って薬剤供給フレーム(４７)を設けて前記薬剤供給装置(４１)を支持し、前記苗押え部材(１０)の解除を可能とする範囲まで前記苗分け部材(４２)の移動調節を許容する調節取付プレート(５２)を前記薬剤供給フレーム(４７)に取付け、かつ、前記苗分け部材(４２)に係止突部(４２ａ)を設け、前記係止突部(４２ａ)を嵌合係止して前記苗分け部材(４２)を複数位置に保持する位置決め孔部(５２ｂ)を前記調節取付プレート(５２)に形成したことを特徴とする。
【発明の効果】
【００１４】
請求項１に係る発明により、苗移植機の植付け走行において、苗タンク(１１)上の苗は、傾斜下端の植付け位置まで苗押え部材(１０)に押えられて案内されるとともに、苗分け部材(４２)が支持アーム(４３)を介して苗分け位置に回動付勢されて苗タンク(１１)上の苗を押し分けることから、薬剤供給装置(４１)の作動で薬剤を苗に供給することが可能となり、このとき、取付基部プレート(４４)の高さ調節によって各種の苗丈に対応できるので、苗の生育具合に合わせて効率よく薬剤を供給することができ、苗が病害虫の影響を受けにくくなる。
また、植付け終了時は、支持アーム(４３)を介して苗分け部材(４２)を非作用位置まで回動することにより、苗分け部材(４２)や薬剤供給装置(４１)を取外すことなく、苗押え部材(１０)を解除して残余の苗の取出しが可能となるので、苗の取出し作業の能率が向上すると共に、作業に要する時間と労力が軽減される。
【００１５】
請求項２に係る発明により、請求項１に係る発明効果に加え、取付けベースとしての薬剤供給フレーム(４７)に支持脚としての取付フレーム(４８)および分岐脚としての苗分けフレーム(４９)を介して薬剤供給装置(４１)を支持することにより、薬剤供給装置(４１)の重量を分散させることができるので、取付フレーム(４８)の歪みが抑えられて所定位置で苗に薬剤を供給でき、苗が病害虫の影響を受けにくくなる。
また、支持アーム(４３)を介して苗分け部材(４２)を回動可能に取付基部プレート(４４)に軸支し、この取付基部プレート(４４)を摺動可能に支持する調節支柱(４６)を苗分けフレーム(４９)に支持したことから、苗分け部材(４２)の接触高さを容易に変更することができるので、作業能率が向上すると共に、いっそう適切な位置で苗に薬剤を供給することができる。
【００１６】
請求項３に係る発明により、請求項２に係る発明効果に加え、取付基部プレート(４４)の位置決め孔部(４４ｂ)に支持アーム(４３)の係止突部(４３ａ)を嵌合係止することによって支持アーム(４３)の角度位置が保持されることから、苗分け部材(４２)を作用位置に保持した場合は、苗分け部材(４２)による安定した苗分け作用によって苗全体に十分な薬剤が供給され、病害虫の影響を受けにくくなる。
また、調節支柱(４６)による取付基部プレート(４４)の高さ調節と位置決め孔部(４４ｂ)による苗分け部材(４２)の回動を組み合わせることにより、より細かく苗分け作用高さを設定することができるので、苗の生育具合に合った適切な苗分けが行え、苗が病害虫の影響を受けにくくなる。
【００１７】
請求項４に係る発明により、請求項１から３のいずれかに係る発明の効果に加え、前記苗分け部材(４２)を前記苗タンク(１１)の傾斜下方側に回動させることにより、苗の抵抗を受けにくくなるので、苗分け部材(４２)の回動操作に要する力が軽減される。苗分け部材(４２)の回動中は、苗と接触しにくいので、苗を傷付けることが防止され、苗の生育が安定する。
【００１８】
請求項５に係る発明により、苗移植機の植付け走行において、苗タンク(１１)上の苗は、傾斜下端の植付け位置まで苗押え部材(１０)に押えられて案内されるとともに、苗分け部材(４２)が支持アーム(４３)を介して苗分け位置に回動付勢されて苗タンク(１１)上の苗を押し分けることから、薬剤供給装置(４１)の作動で薬剤を苗に供給することが可能となり、このとき、苗との接触高さを多段階に位置決め可能に保持する調節取付プレート(５１)による高さ調節によって各種の苗丈に対応できるので、苗の生育具合に合わせて効率よく薬剤を供給することができ、苗が病害虫の影響を受けにくくなる。
また、植付け終了時は、調節取付プレート(５１)から苗分け部材(４２)を取外すことにより、苗押え部材(１０)を解除できるので、余った苗の取出し作業の能率が向上すると共に、作業に要する時間と労力が軽減される。
【００１９】
請求項６に係る発明により、請求項５に係る発明の効果に加え、苗タンク(１１)の法線に沿って高い側に苗分け部材(４２)を移動することにより、苗の抵抗を受けにくくなるので、苗分け部材(４２)の移動に要する力が軽減される。また、苗分け部材(４２)は、移動中に苗が接触しにくいので、苗を傷付けることが防止され、苗の生育が安定する。
【００２０】
請求項７に係る発明により、請求項５に係る発明の効果に加え、苗分け部材(４２)を傾斜ガイドの傾斜方向に移動することにより、苗分け部材(４２)を苗の生育具合に適した位置で確実に接触させることができることから、苗を押し広げて薬剤を十分に供給することができ、苗が病害虫の影響を受けにくくなる。
【００２１】
請求項８に係る発明により、調節取付プレート(５２)の位置決め孔部(５２ｂ)に苗分け部材(４２)の係止突部(４２ａ)を差し込むことにより、苗分け作用位置であれば、苗分け部材(４２)がその高さ位置に拘束されるので、苗全体に十分な薬剤が供給され、病害虫の影響を受けにくくなる。また、位置決め孔部(５２ｂ)が苗押え部材(１０)の開放を可能とする位置であれば、苗押え部材(１０)を解除する際に苗分け部材(４２)がその高さ位置に拘束されるので、苗の取出作業能率が向上する。
【図面の簡単な説明】
【００２２】
【図１】苗タンクの要部縦断側面図（苗分け部材の展開平面図付記）
【図２】苗分け部材配置を表す苗タンクの要部背面図
【図３】苗分け部材の作用側面図
【図４】別構成例１の苗タンクの縦断面図（要部拡大図付記）
【図５】別構成例２の苗タンクの縦断面図（要部拡大図付記）
【図６】別構成例３の苗タンクの縦断面図（部分展開図付記）
【図７】別構成例４の苗タンクの縦断面図
【図８】苗タンクの左側要部背面図
【図９】田植機の側面図
【図１０】田植機の平面図
【発明を実施するための形態】
【００２３】
上記技術思想に基づいて具体的に構成した発明の実施形態について、以下に図面に沿って詳細に説明する。
【００２４】
（苗分け部材）
本発明の苗移植機１を構成する苗植付部６は、苗タンクの要部縦断側面図（苗分け部材の展開平面図付記）を図１に、また、苗分け部材配置を表す苗タンクの要部背面図を図２に示すように、苗タンク１１には、苗押え部材１０と、薬剤供給装置４１と、苗分け部材４２とを備える。苗分け部材４２は、支持アーム４３によって回動可能に取付基部プレート４４に軸支し、この取付基部プレート４４を調節支柱４６によって苗タンク１１上に高さ調節可能に支持する。
【００２５】
詳細には、苗タンク１１は、繰出ベルト１１ｃを備えてマット状の苗を下端位置まで案内支持する傾斜ガイドである。苗押え部材１０は、苗タンク１１の条間部に起設した支柱１０ｂ，１０ｂ間に屈曲基部１０ａを回動自在に軸支し、その下端部１０ｃを押え位置に固定した場合は、苗タンク１１の傾斜ガイド面に沿って苗の浮き上がりを押えることにより繰出ベルト１１ｃに追従して苗を送り、また、固定を解除した場合は、上方回動操作によって苗タンク１１上の苗の取出しが可能となる。
【００２６】
薬剤供給装置４１は、薬剤貯留部４１ａと定量吐出ノズル４１ｂとを備え、多条配列の苗タンク１１…の全幅を往復移動可能に支持レール６１を設ける。また、苗タンク１１の条間部に取付けベースとして薬剤供給フレーム４７を設け、各薬剤供給フレーム４７に支持脚としての取付フレーム４８を起設するとともに、薬剤供給フレーム４７の上部側との間に分岐脚として苗分けフレーム４９を設けて苗タンク１１の上方に支持レール６１を架設する。
【００２７】
苗分け部材４２は、その両端を支持する支持アーム４３，４３を介して回動可能に取付基部プレート４４に軸支する。この取付基部プレート４４には、苗分け部材４２を苗タンク１１上の苗に押付ける方向に回動付勢部材４５を設ける。また、苗分けフレーム４９に調節支柱４６を設け、支持高さをスライド調節可能とする調節部４４ａを介して取付基部プレート４４を支持する。
【００２８】
上記構成により、植付け走行において、苗押え部材１０は、苗タンク１１の傾斜下端の植付け位置まで苗を押えつつ案内し、苗分け部材４２が苗分け作用位置に回動して苗タンク１１の案内過程の苗を押し分けることにより、薬剤供給装置４１の作動で薬剤を苗の根元に供給することが可能となる。
【００２９】
このとき、取付基部プレート４４の高さ調節によって各種の苗丈に対応できるので、苗の生育具合に合わせて効率よく薬剤を供給することができる。
また、植付け終了時は、苗分け部材４２を非作用位置まで回動することにより、苗分け部材４２や薬剤供給装置４１を取外すことなく苗押え部材１０を解除して残余の苗の取出しが可能となる。
【００３０】
また、薬剤供給装置４１は、取付フレーム４８と苗分けフレーム４９とによって薬剤供給フレーム４７に支持することにより、薬剤供給装置４１の重量を分散させることができるので、取付フレーム４８の歪みが抑えられて所定位置で苗に薬剤を供給できる。
【００３１】
また、苗分け部材４２は、支持アーム４３に係止突部４３ａを設け、この係止突部４３ａを複数の角度位置で嵌合係止可能な位置決め孔部４４ｂを取付基部プレート４４に形成し、取付基部プレート４４の位置決め孔部４４ｂに支持アーム４３の係止突部４３ａを嵌合係止することにより、支持アーム４３の角度位置が拘束保持されることから、苗分け部材４２を作用位置に保持した場合は、苗分け部材４２による安定した苗分け作用によって苗全体に十分な薬剤を供給することができる。
【００３２】
また、苗分け部材の作用側面図を図３に示すように、調節支柱４６による取付基部プレート４４の高さ調節Ｈと位置決め孔部４４ｂによる苗分け部材４２の回動θを組み合わせることにより、より細かく苗の生育具合に合った適切な苗分け作用高さを設定することができる。
【００３３】
苗分け部材４２は、調節支柱４６より苗タンク１１の傾斜下部側に作用位置を設定することにより、苗分け部材４２を苗分け作用位置から展開回動する際に苗の抵抗を受けにくくなるので、苗分け部材の回動操作に要する力が軽減される。苗分け部材４２の回動中は、苗と接触しにくいので、苗を傷付けることが防止され、苗の生育が安定する。
【００３４】
次に、苗分け部材４２の別の構成例について説明する。
苗タンク１１の条間部に沿って延びる薬剤供給フレーム４７を設けて薬剤供給装置４１を支持するとともに、苗分け部材４２を着脱可能に、且つ苗との接触高さを多段階に位置決め保持する調節取付プレート５１を薬剤供給フレーム４７に取付ける。
【００３５】
具体的には、別構成例１の苗タンクの縦断面図（要部拡大図付記）を図４に示すように、調節取付プレート５１は、薬剤供給フレーム４７から苗タンク１１の法線方向Ａに延びて一端を開口する弾性拘束溝５１ａに沿って複数の保持部５１ｂ…を形成する。弾性拘束溝５１ａは、限定的な拘束力で苗分け部材４２の移動を抑制可能に構成することにより、苗分け部材４２を着脱可能に、かつ苗との接触高さを多段階に位置決め保持することができる。
【００３６】
上記構成例により、苗タンク１１の傾斜下端の植付け位置まで苗押え部材１０が苗を押えつつ案内し、このとき、調節取付プレート５１の多段の高さ位置から選択した高さで苗分け部材４２が苗タンク１１上の苗を押し分けるとともに、薬剤供給装置４１の作動で薬剤を苗に供給するので、苗の生育具合に合わせて苗を押し広げて薬剤を十分に供給することができる。
【００３７】
植付終了時は、調節取付プレート５１から苗分け部材４２を取外すことにより、苗押え部材１０を解除できるので、余った苗の取出し作業の能率が向上すると共に、作業に要する時間と労力が軽減される。
【００３８】
また、別構成例２の苗タンクの縦断面図（要部拡大図付記）を図５に示すように、上述の別構成例１の調節取付プレート５１を薬剤供給フレーム４７に沿って苗タンク１１の傾斜上方向Ｂに開口する姿勢で設けることにより、苗分け部材４２を着脱可能に、かつ苗との接触高さを多段階に位置決め保持できることから、苗分け部材４２を苗の生育具合に適した位置で確実に接触させることができるので、苗を押し広げて薬剤を十分に供給することができる。
【００３９】
さらに、別構成例３の苗タンクの縦断面図（部分展開図付記）を図６に示すように、苗タンク１１の側部に沿って延びる薬剤供給フレーム４７を設けて薬剤供給装置４１を支持し、苗押え部材１０の解除を可能とする範囲まで苗分け部材４２の移動調節を許容する案内溝５２ａを形成した調節取付プレート５２を薬剤供給フレーム４７に設け、かつ、苗分け部材４２に係止突部４２ａを設け、この係止突部４２ａを嵌合係止して苗分け部材４２を複数位置に保持する位置決め孔部５２ｂを調節取付プレート５２に形成する。位置決め孔部５２ｂによる複数の保持位置は、苗の生育に対応する範囲と、苗押え部材１０の解除位置を含める。
【００４０】
調節取付プレート５２の位置決め孔部５２ｂに苗分け部材４２の係止突部４２ａを差し込むことにより、苗分け作用位置であれば、苗分け部材４２がその高さ位置に拘束されるので、苗全体に十分な薬剤が供給される。また、位置決め孔部５２ｂによる嵌合係止位置が苗押え部材１０の開放を可能とする位置であれば、苗押え部材１０を解除する際に苗分け部材４２がその高さ位置に拘束されるので、苗の取出作業能率が向上する。
【００４１】
また、別構成例４の苗タンクの縦断面図を図７に示すように、前述の調節取付プレート５１について、苗押え部材１０の解除を可能とする位置に苗分け部材４２を保持する保持部５３ａを形成し、この保持部５３ａまで苗分け部材４２の移動を許容する弾性拘束溝５３ｂを形成した延長プレート５３を設けることにより、苗分け部材４２の紛失や落下を防いで苗押え部材１０を解除することが可能となる。
【００４２】
（薬剤散布レール）
次に、薬剤供給装置４１の支持レールについて説明する。
薬剤供給装置４１の支持レール６１は、苗タンクの左側要部背面図を図８に示すように、苗植付部６の左側端部支持レール６１Ｌを平行リンク６２ａ，６２ｂによって内側部に折りたたみ可能に構成し、折りたたんだ左側端部支持レール６１Ｌは、折りたたんだ左側端部苗タンク１１Ｌをストッパとして構成する。
【００４３】
苗植付部６の支持レール６１の左右両側について上記折りたたみ構成を適用することにより、両側条の苗タンク１１，１１の折りたたみの際に、薬剤供給装置４１について、特段のストッパ操作を要することなく、それぞれ簡易な折りたたみ操作によって支持レール６１の安定保持が可能となる。
【００４４】
（関連機器）
次に、上述の発明の適用対象となる苗移植機について、全体および関連機器の構成例を説明する。
図９は乗用型田植機の左側面図であり、図１０はその平面図である。図９、図１０に示す通り、乗用型田植機１は、走行車体の後側に昇降リンク装置３を介して苗植付部６が昇降可能に装着され、走行車体の後部上側に施肥装置５の本体部分が設けられている。
【００４５】
走行車体は、駆動輪である左右一対の前輪２１、２１及び左右一対の後輪２２、２２を備えた四輪駆動車両であって、機体の前部にミッションケース１２が配置され、そのミッションケース１２の左右側方に左右前輪ファイナルケース２１ｆ、２１ｆが設けられ、該左右前輪ファイナルケース２１ｆ、２１ｆの操向方向を変更可能なそれぞれの前輪支持部から外向きに突出する左右前輪車軸２１ａに、左右前輪２１、２１がそれぞれ取り付けられている。尚、ミッションケース１２の背面部にメインフレーム１５の前端部が固着されている。
【００４６】
また、後輪支持部材としての後輪伝動ケース１９の左右側部に左右後輪２２、２２がそれぞれ取り付けられている。
【００４７】
また、エンジン７はメインフレーム１５の上に搭載されており、該エンジン７の回転動力が、ベルト伝動装置２１及びＨＳＴ２３を介してミッションケース１２に伝達される。ミッションケース１２に伝達された回転動力は、該ケース１２内のトランスミッション（図示省略）により変速された後、走行動力と外部取出動力に分離して取り出される。
【００４８】
そして、走行動力は、一部が前輪ファイナルケース２１ｆ、２１ｆに伝達されて前輪２１、２１を駆動すると共に、残りが左右後輪ギヤケース（図示省略）に伝達されて、後輪伝動ケース１９から左右後輪２２、２２を駆動する。また、ミッションケース１２の右側側面より取出された外部取出動力は、植付伝動軸６ａによって苗植付部６へ伝動される。
【００４９】
また、エンジン７の上部はエンジンカバー７ａで覆われており、その上に操縦座席８が設置されている。操縦座席８の前方には左右前輪２１、２１を操向操作するハンドル９が設けられている。
【符号の説明】
【００５０】
６      苗植付部
１０    苗押え部材
１１    苗タンク
４１    薬剤供給装置
４２    苗分け部材
４２ａ  係止突部
４３    支持アーム
４３ａ  係止突部
４４    取付基部プレート
４４ｂ  位置め孔部
４５    回動付勢部材
４６    調節支柱
４７    薬剤供給フレーム
４８    取付フレーム
４９    苗分けフレーム
５１    調節取付プレート
５２    調節取付プレート
５２ｂ  位置め孔部
【図１】
2016086656.tif 000003
【図２】
2016086656.tif 000004
【図３】
2016086656.tif 000005
【図４】
2016086656.tif 000006
【図５】
2016086656.tif 000007
【図６】
2016086656.tif 000008
【図７】
2016086656.tif 000009
【図８】
2016086656.tif 000010
【図９】
2016086656.tif 000011
【図１０】
2016086656.tif 000012